(57)【要約】【課題】  放電灯点灯装置において、直流−交流変換回路を構成する交流変換用トランスの構造を簡素化して小型化及び低コスト化を実現するとともに、回路の信頼性を向上させる。【解決手段】  放電灯点灯装置１は、直流入力を受けて交流変換及び昇圧を行う直流−交流変換回路３と、放電灯に起動用信号を供給するための起動回路４を備えており、直流−交流変換回路３を構成する交流変換用トランス７の一次側回路と二次側回路とが絶縁された構造を有する。交流変換用トランス７の一次巻線７ｐにおいて、起動回路４の出力端子が接続された巻線部分７ｐ１が、その巻回方向に直交する面で切断した断面形状において扁平状とされ、その他の巻線部分７ｐ２に比して厚みが小さくされることによって、二次巻線７ｓとの結合を強めている。【選択図】        図３
2005064260.tif 000002
【特許請求の範囲】
【請求項１】
直流入力を受けて交流変換及び昇圧を行う直流−交流変換回路と、放電灯に起動用信号を供給するための起動回路を備え、該直流−交流変換回路の出力する電力を制御して放電灯の点灯制御を行う放電灯点灯装置において、
上記直流−交流変換回路を構成する交流変換用トランスを設けるとともに、その一次側回路と二次側回路とが絶縁された構造を有し、該交流変換用トランスにより変換された交流出力に対して、該交流変換用トランスで昇圧された起動用信号を重畳してその二次巻線から放電灯に供給すること、
そして、上記交流変換用トランスの一次巻線のうち、上記起動回路の各出力端子が接続されて該出力端子の間に位置する第一の巻線部分又は該一次巻線よりも少ない巻数をもって上記交流変換用トランスに付設されて上記起動回路の出力端子が接続される専用巻線が、その巻回方向に直交する面で切断した断面形状において扁平状とされて、上記一次巻線のうち上記第一の巻線部分を除いた第二の巻線部分又は上記一次巻線に比して厚みが小さい
ことを特徴とする放電灯点灯装置。
【請求項２】
請求項１に記載した放電灯点灯装置において、
上記第一の巻線部分又は上記専用巻線が筒状をなし、上記交流変換用トランスを構成するコア又は該コア及び二次巻線の外周に巻回されている
ことを特徴とする放電灯点灯装置。
【請求項３】
請求項２に記載した放電灯点灯装置において、
上記第一の巻線部分又は上記専用巻線の中心軸方向における長さが、上記交流変換用トランスの二次巻線のコイル長以上である
ことを特徴とする放電灯点灯装置。
【請求項４】
請求項１又は請求項２又は請求項３に記載した放電灯点灯装置において、
上記第一の巻線部分又は上記専用巻線が銅箔を用いて形成されている
ことを特徴とする放電灯点灯装置。
【請求項５】
請求項１又は請求項２又は請求項３又は請求項４に記載した放電灯点灯装置において、
上記交流変換用トランスのコア材としてニッケル系コアを用いた
ことを特徴とする放電灯点灯装置。
【請求項６】
請求項１又は請求項２又は請求項３又は請求項４又は請求項５に記載した放電灯点灯装置において、
上記交流変換用トランスの一次巻線と二次巻線との間に配置される絶縁部材の端部にフランジ部を設けた
ことを特徴とする放電灯点灯装置。
【発明の詳細な説明】
【技術分野】
【０００１】
本発明は、放電灯点灯装置に用いる交流変換用トランスの構造を簡素化して、小型化及び低コスト化を図り、信頼性を向上させるための技術に関する。
【背景技術】
【０００２】
メタルハライドランプ等の放電灯の点灯回路において、小型化や高周波化に適した構成形態として、例えば、直流−交流変換回路における１段階の電圧変換により昇圧された出力を放電灯に供給するようにした構成が知られている（例えば、特許文献１参照。）。
【０００３】
交流変換用トランスを備えた形態では、直流入力を昇圧して交流に変換された出力が放電灯に供給され、該放電灯の起動時には起動用信号（所謂スタータパルス）が発生されて放電灯に印加される。
【０００４】
【特許文献１】特開平７−１６９５８３号公報
【発明の開示】
【発明が解決しようとする課題】
【０００５】
ところで、従来の構成では交流変換用トランスをシンプルな構造にすることが困難であり、また、放電灯の点灯時における電力損失や、回路素子の耐圧等に問題がある。
【０００６】
例えば、放電灯への起動用信号に関して、放電に必要な高電圧を得るためには、トランスの巻数比を大きくする必要があり、これに伴う損失の増加や回路素子の高耐圧化が、小型化及び低コスト化を妨げる原因となってしまう。
【０００７】
そこで、本発明は、放電灯点灯装置において直流−交流変換回路を構成する交流変換用トランスの構造を簡素化して小型化及び低コスト化を実現するとともに、回路の信頼性を向上させることを課題とする。
【課題を解決するための手段】
【０００８】
本発明は、直流入力を受けて交流変換及び昇圧を行う直流−交流変換回路と、放電灯に起動用信号を供給するための起動回路を備え、該直流−交流変換回路の出力する電力を制御して放電灯の点灯制御を行う放電灯点灯装置において、下記に示す構成を有するものである。
【０００９】
・直流−交流変換回路を構成する交流変換用トランスを設けるとともに、その一次側回路と二次側回路とが絶縁された構造を有し、該交流変換用トランスにより変換された交流出力に対して、該交流変換用トランスで昇圧された起動用信号を重畳してその二次巻線から放電灯に供給すること。
【００１０】
・交流変換用トランスの一次巻線のうち、上記起動回路の各出力端子が接続されて該出力端子の間に位置する第一の巻線部分が、その巻回方向に直交する面で切断した断面形状において扁平状とされて、一次巻線のうち第一の巻線部分を除いた第二の巻線部分に比して厚み（第二の巻線部分にコイル長方向に対して直交する方向における厚み）が小さいこと。あるいは、一次巻線よりも少ない巻数をもって交流変換用トランスに付設されて上記起動回路の出力端子が接続される専用巻線が、その巻回方向に直交する面で切断した断面形状において扁平状とされて一次巻線に比して厚み（一次巻線のコイル長方向に対して直交する方向における厚み）が小さいこと。
【００１１】
従って、本発明によれば、第一の巻線部分又は専用巻線と二次巻線との電磁的結合を強めることにより、巻数比を大きくすることなく放電に必要な高電圧を得ることができる。
【発明の効果】
【００１２】
本発明によれば、放電灯への起動用信号の供給時におけるトランスの結合率を高めることで、トランスの小型化を実現し、回路損失を低減することができる。そして、回路素子の高耐圧化を要しないので低コスト化に有利であり、また、放電灯の点灯時における回路負担を軽減して信頼性を高めることができる。
【００１３】
さらには、上記第一の巻線部分又は専用巻線が筒状をなしてコア又は該コア及び二次巻線の外周において巻回された構成を採用することで、第一の巻線部分又は専用巻線と二次巻線との一体性を高めて、結合率を上げることができ、第一の巻線部分又は専用巻線についてその中心軸方向の長さを、二次巻線のコイル長と同等かそれより長くすることによって結合率をさらに高めることができる。
【００１４】
導電性に優れた銅箔を第一の巻線部分又は専用巻線に用いると、加工性やコスト面で有利であり、また、コア材としてニッケル系コアを用いることにより、巻線とコアを極力密着させることができる。
【００１５】
そして、一次巻線と二次巻線との間に配置される絶縁部材の端部にフランジ部を設けることで、沿面距離を長くして絶縁強度を高めることができる。
【発明を実施するための最良の形態】
【００１６】
本発明は、メタルハライドランプのような自動車用照明光源等に用いられる各種放電灯の点灯回路に適用することが可能であり、以下に示す目的を達成することができる。
【００１７】
・直流−交流変換回路を構成する交流変換用トランスの構造に工夫を凝して、放電灯の起動時における該トランスの絶縁構造を簡素化し、これによって回路の小型化及び低コスト化に寄与すること
・上記起動用信号の発生時における交流変換用トランスの結合を強くして、放電灯の点灯時の回路負担及び損失を低減することにより、回路の信頼性を向上させること。
【００１８】
図１は、本発明に係る基本構成例を示すものであり、放電灯点灯装置１はその回路構成において、直流電源２から電源供給を受ける直流−交流変換回路３と起動回路４を備えている。
【００１９】
直流−交流変換回路３は、バッテリ等から直流入力を受けて交流変換及び昇圧を行うために設けられている。本例では、２つのスイッチング素子５Ｈ、５Ｌと、それらを駆動してスイッチング制御を行う制御手段６を備えている。つまり、高段側のスイッチング素子５Ｈの一端が電源端子に接続され、該スイッチング素子の他端が低段側のスイッチング素子５Ｌを介して接地されており、制御手段６によって各素子５Ｈ、５Ｌが交互にオン／オフされる。尚、図では、素子５Ｈ、５Ｌを単にスイッチの記号で示しているが、電界効果トランジスタ（ＦＥＴ）やバイポーラトランジスタ等の半導体スイッチング素子が用いられる。
【００２０】
直流−交流変換回路３は交流変換用トランス７を有しており、その一次側回路と二次側回路とが絶縁された構造をもっている。そして、本例では、共振用コンデンサ８と、インダクタ又はインダクタンス成分９との共振現象を利用した回路構成が用いられている。つまり、構成形態としては、例えば、下記の３通りが挙げられる。
【００２１】
（Ｉ）共振用コンデンサ８とインダクタンス素子との共振を利用した形態
（ＩＩ）共振用コンデンサ８と交流変換用トランス７のリーケージ（漏れ）インダクタンスとの共振を利用した形態
（ＩＩＩ）共振用コンデンサ８と、インダクタンス素子及び交流変換用トランス７のリーケージインダクタンスとの共振を利用した形態。
【００２２】
先ず、上記（Ｉ）では、共振用コイル等のインダクタンス素子９を付設し、例えば、該素子の一端を共振用コンデンサ８に接続して、該コンデンサをスイッチング素子５Ｈと５Ｌとの接続点に接続する。そして、インダクタンス素子９の他端を交流変換用トランス７の一次巻線７ｐに接続した構成が挙げられる。
【００２３】
また、上記（ＩＩ）では、交流変換用トランス７のインダクタンス成分９を利用することで、共振用コイル等の追加が不要である。つまり、共振用コンデンサ８の一端をスイッチング素子５Ｈと５Ｌとの接続点に接続し、該コンデンサの他端を交流変換用トランス７の一次巻線７ｐに接続すれば良い。
【００２４】
上記（ＩＩＩ）では、インダクタンス素子９とリーケージインダクタンスとの直列合成リアクタンスを用いることができる。
【００２５】
いずれの形態でも、共振用コンデンサ８と誘導性要素（インダクタンス成分やインダクタンス素子）との直列共振を利用し、スイッチング素子５Ｈ、５Ｌの駆動周波数を直列共振周波数以上の値に規定して該スイッチング素子を交互にオン／オフさせれば、交流変換用トランス７の二次巻線７ｓに接続された放電灯１０の正弦波点灯を行うことができる。尚、制御手段６による各スイッチング素子の駆動制御において、スイッチング素子がともにオン状態とならないように相反的にそれぞれの素子を駆動する必要がある（オンデューティーの制御等に依る。）。また、直列共振周波数については、これを「ｆ」と記し、共振用コンデンサ８の静電容量を「Ｃｒ」、インダクタンス素子９のインダクタンスを「Ｌｒ」、トランス７の一次側インダクタンスを「Ｌｐ１」と記すとき、例えば、上記形態（ＩＩＩ）において、放電灯の点灯前では、「ｆ＝ｆ１＝１／（２・π・√（Ｃｒ・（Ｌｒ＋Ｌｐ１））」となり、また、点灯後には、「ｆ＝ｆ２≒１／（２・π・√（Ｃｒ・Ｌｒ））」となる（ｆ１＜ｆ２）。
【００２６】
本発明の適用において制御手段６の構成形態の如何を問わないが、例えば、放電灯の点灯前の無負荷出力電圧を制御する回路や、放電灯の点灯後における過渡的な投入電力及び定常状態における投入電力について制御するための回路を設けることにより制御電圧を規定し、該電圧をＶ（電圧）−Ｆ（周波数）変換することによって得られるパルス信号を整形してスイッチング素子５Ｈ、５Ｌへの制御信号として送出する構成形態等が挙げられる。
【００２７】
尚、放電灯を安定に制御するためには、スイッチング素子５Ｈ、５Ｌの駆動周波数に関して、起動用信号の発生前の周波数値よりも放電灯が点灯した後の周波数値を高くすることが望ましい。起動用信号の印加によって放電灯が点灯する前の状態では、交流変換用トランス７の二次側回路が開放状態とされ、よって、該トランスは等価的にチョークコイルとみなせる。そのため、この状態での直列共振周波数は上記ｆ１であり、点灯時のｆ２よりも周波数値が小さく、起動時にはｆ１付近の駆動周波数をもってスイッチング素子を制御する。そして、放電灯の点灯後には、共振用コンデンサ８の静電容量と、インダクタンス素子のインダクタンス又は交流変換用トランス７のリーケージインダクタンスによって決まる直列共振周波数ｆ２の付近に位置する駆動周波数をもってスイッチング素子を制御する。
【００２８】
電力制御においては、直列共振周波数よりも高い駆動周波数でスイッチング制御を行うことが好ましく、また、駆動周波数を直列共振周波数に一致させた場合には最大電力を取り出せるので、該電力を初期電力として放電灯に供給することで放電灯の発光を促進して速やかに定常状態へと移行させることができる。尚、直列共振周波数未満の駆動周波数をもってスイッチング制御を行った場合には、共振用コンデンサの静電容量と上記インダクタンスとの合成インピーダンスが容量性領域に入り、制御し難い状態に陥ってしまうため、そのような状態を回避するように駆動周波数を制御することが望ましい。
【００２９】
起動回路４は、放電灯１０に起動用信号を供給するために設けられており、起動時における起動回路４の出力が交流変換用トランス７にて昇圧されて放電灯１０に印加される（交流変換された出力に対して起動用信号が重畳されて放電灯に供給される。）。
【００３０】
本例では、起動回路４の出力端子の一方を交流変換用トランス７の一次巻線７ｐの途中に接続し、他方の出力端子を一次巻線７ｐの一端（グランド側端子）に接続した形態を示しているが、これに限らず、起動回路４の両出力端子を交流変換用トランス７の一次巻線７ｐの途中にそれぞれ接続した形態、あるいは、図２に示す点灯装置１Ａのように、交流変換用トランス７において一次巻線及び二次巻線以外の専用巻線７ａを設けて、起動回路４の各出力端子を専用巻線７ａに接続した形態が挙げられる。
【００３１】
また、交流変換用トランス７の二次側において放電灯１０を起動させるのに必要な波高値を有するパルス電圧を発生させるためには、起動回路４内のコンデンサに対して出来るだけ高い電圧を供給してその充電を行う必要があり、本例では、起動回路４の入力端子の一方を共振用コンデンサ８とインダクタンス素子９（上記（ＩＩ）の場合には一次巻線７ｐ）との間に接続し、他方の入力端子をグランド側ラインに接続することで、共振電圧を利用している。尚、この他には、交流変換用トランスの二次側から起動回路への入力電圧を得る形態や、インダクタンス素子９とともにトランスを構成する補助巻線を設けて、該補助巻線から起動回路への入力電圧を得る形態等が挙げられる。
【００３２】
起動回路４についてはその構成の如何を問わないが、例えば、複数の整流素子、コンデンサ、スイッチ素子を用いて構成され、スイッチ素子としては、スパークギャップやバリスタ等の自己降伏型素子や、サイリスタ、ＩＧＢＴ（絶縁ゲートバイポーラ型トランジスタ）、ＦＥＴ等の制御端子を備えた半導体素子を用いることができる。
【００３３】
ところで、上記のように交流変換用トランス７は直流−交流変換の機能と、起動用信号の昇圧機能を有し、後者については図１において、一次巻線７ｐのうち、起動回路４の各出力端子が接続されて該出力端子の間に位置する第一の巻線部分を「７ｐ１」とし、該部分以外の巻線部分（第二の巻線部分）を「７ｐ２」とするとき、巻線部分７ｐ１の巻数及び二次巻線７ｓの巻数により決まる巻数比を大きくするほど、放電に必要な高電圧を得ることが容易になる。しかし、放電灯が点灯している時には、交流変換用トランス７の一次側に、一次巻線７ｐの巻数「ｎ１」、二次巻線７ｓの巻数「ｎ２」及び二次電流「Ｉ２」（ランプ電流）によって決まる一次電流「Ｉ１」が流れるので（Ｉ１≒（ｎ２／ｎ１）・Ｉ２）、一次巻線７ｐと二次巻線７ｓとの巻数比を小さくした方が、Ｉ１が小さくなるので損失が少ない。また、巻線部分７ｐ１と７ｐ２との巻数比が大き過ぎる場合には、共振用コンデンサやインダクタ、スイッチング素子等の耐圧を高くする必要がある（例えば、７ｐ１対７ｐ２の巻数比を「１：４」とし、起動回路の出力を１ｋＶ（キロボルト）とすると、４ｋＶの耐圧が必要となる。）。
【００３４】
以上のことから、放電灯を起動させるために十分な起動電圧を発生させ、かつ点灯時の回路損失や使用素子の耐圧を小さくするには、起動用信号の発生時における巻線部分７ｐ１と７ｓの結合を強くして、両者の巻数比をできる限り小さくすることが望ましい。一例として、７ｐ、７ｓ、７ｐ１の巻数をそれぞれ４Ｔ、４０Ｔ、１Ｔ（ターン）とし、起動回路の出力電圧が１ｋＶのときに、２０ｋＶを出力できるものとすると、７ｐ１と７ｓとの結合を強くして、７ｓの巻数を２５Ｔにしても２０ｋＶが出力できるようになれば、７ｐの巻数を３Ｔにまで減らすことができ、結果として、７ｐ１と７ｐとの巻数比及び７ｐと７ｓとの巻数比を共に小さくすることが可能である。
【００３５】
従来のように一般的な円形断面のワイヤー巻線を用いた方法では、起動用信号の発生時におけるトランスの二次側端子電圧が、その理想的な値（つまり、巻数比に比例した電圧）に比べて低くなってしまうため、トランスの巻数比を大きくすることが必要とされ、放電灯の点灯時の損失も大きくなってしまう。
【００３６】
そこで、本発明では、下記に示すトランス構造を採用する。
【００３７】
（Ａ）交流変換用トランス７の一次巻線７ｐを構成する巻線部分７ｐ１、７ｐ２に関して、巻線の巻回方向に直交する面で切断した巻線部分７ｐ１の断面形状を扁平状とし、巻線部分７ｐ２に比して厚みを小さくした構造
（Ｂ）交流変換用トランス７の一次巻線７ｐよりも少ない巻数をもって該交流変換用トランスに付設されて起動回路４の出力端子が接続される専用巻線７ａを設けるとともに（図２参照）、その巻回方向に直交する面で切断した断面形状を扁平状とし、一次巻線７ｐに比して厚みを小さくした構造。
【００３８】
このような構造を用いることによって巻線同士の結合を強め、より少ない巻数比をもって放電灯の起動に必要な電圧を得ることができる。
【００３９】
上記（Ａ）において、例えば、巻線部分７ｐ１に平角線や金属箔、薄い金属板等を用いた場合において、以下に示す構成形態が挙げられる。
【００４０】
（Ａ１）絶縁部材の外側に一次巻線７ｐを配置し、内側に二次巻線７ｓを配置した形態（図３、図４参照）
（Ａ２）絶縁部材の内側に一次巻線７ｐを配置し、外側に二次巻線７ｓを配置した形態  （図５、図６参照）。
【００４１】
先ず、形態（Ａ１）について説明すると、図３に示す交流変換用トランス７Ａは、コイルボビンを構成する絶縁部材１１と、Ｅ字ブロック状をした一対のコア１２、１２を用いて構成されている。
【００４２】
絶縁部材１１は、円筒部１１ａ及びその両端部に設けられた円板状のフランジ部１１ｂ、１１ｂを有しており、円筒部１１ａの外側に一次巻線７ｐが巻回されている。
【００４３】
一次巻線７ｐの巻線部分７ｐ１は金属箔や薄い金属板を用いて形成され、起動回路４の出力端子との接続用に端子部１３、１４を有する。例えば、導電性に優れ、安価で加工し易い銅箔が用いられて円筒部１１ａの外周において筒状に巻き付けられている。尚、起動回路４の一方の出力端子が端子部１３に接続されるとともに、該端子部１３には巻線部分７ｐ２の一端部が接続されている。また、起動回路４の他方の出力端子（グランド側端子）が端子部１４に接続される。端子部１３、１４については、例えば、引き出し部分（接続片等）を予め金属箔や薄い金属板に形成しておき、巻回時に当該部分を屈曲させるといった方法等が用いられる。
【００４４】
一次巻線７ｐの巻線部分７ｐ２には被覆線材が用いられ、巻線部分７ｐ１の外周においてコイル状に巻回された状態で配置されている。
【００４５】
二次巻線７ｓは、被覆線材を用いてコイル状に形成されており、円筒部１１ａの内部に配置される。そして、二次巻線７ｓのコイル部分が、コア１２、１２の中足部分（円柱部）１２ａ、１２ａにそれぞれ外挿された状態で各コアに巻回される。
【００４６】
図４は、交流用変換トランス７Ａの断面構造を概略的に示したものである。
【００４７】
コア１２、１２の中足部分１２ａ、１２ａが互いに連結されて、その外側に二次巻線７ｓが巻かれ、さらに外側に絶縁部材１１の円筒部１１ａが位置する。そして、該円筒部１１ａの外周に巻線部分７ｐ１が巻かれ、さらにその外側に巻線部分７ｐ２が巻かれた構造を備えている。
【００４８】
このように本例では、一次巻線７ｐの各部（７ｐ１、７ｐ２）がコア１２及び二次巻線７ｓの外周において巻回された構成とされている。
【００４９】
巻線間の結合を強め、より少ない巻数比をもって起動電圧を得るためには、コア１２と巻線部分７ｐ１、二次巻線７ｓが十分に接近した位置関係をもって一体的に構成されていることが必要であり、そのためには、巻線部分７ｐ１の断面をできるだけ扁平状にして、二次巻線７ｓとの一体性を高めることが好ましい。本例では、金属箔（銅箔）を用いるとともに、コア１２及び二次巻線７ｓを取り囲むようにして絶縁部材１１の円筒部１１ａに対して、二次巻線７ｓと同様の巻線方向をもって金属箔を巻き付けている。
【００５０】
そして、巻線部分７ｐ１の中心軸方向における長さを、二次巻線７ｓのコイル長以上に規定することによって、さらに結合を強くすることができる。即ち、巻線部分７ｐ１に金属箔を用いる場合において、その幅（図３、図４の上下方向における幅）を、二次巻線７ｓの長手方向における長さ（コイル長）に等しいか又はこれよりも大きくすることが好ましい。
【００５１】
本例では、起動回路４の一方の出力端子を、一次巻線７ｐのグランド側端子から１ターン（turn）目に接続する場合の構成を示している。従って、巻線部分７ｐ１の巻数が１とされて、当該部分の銅箔が二次巻線７ｓ及びコア１２の中足部分１２ａの大半部をとり囲んでいる。これによって巻線部分７ｐ１と二次巻線７ｓとの結合率を高めて、必要最小限の巻数比で高電圧パルスを発生させることができる。尚、銅箔を２ターン以上に亘って巻回させた構成でも構わないが、この場合には、１ターン目と２ターン目との絶縁がとれないので、絶縁シートを一緒に巻き込む等の対応が必要となる。よって、構成の簡素化の観点からは１ターンの構成が好ましい。
【００５２】
また、コア材としてはニッケル系コアの使用が望ましい。つまり、巻線同士の結合が非常に重要であるため、帯電するコア材料（インピーダンスの低い材料）を用いたのでは、コアと巻線との間に絶縁構造物が必要となり、その分だけ巻線がコアから離れてしまい結合が悪化する原因となる。ニッケル系コアを用いることによって、このような絶縁構造物が不要になる。
【００５３】
交流変換用トランス７Ａの一次巻線７ｐと二次巻線７ｓとの間に配置される絶縁部材１１の端部にはフランジ部１１ｂ、１１ｂが設けられているが、これによって絶縁耐力を保証することができる。即ち、図３、図４の上下方向において巻線部分７ｐ１と二次巻線７ｓとが同程度の幅で巻回される場合に、放電灯の起動時に発生する高電圧（起動電圧）に伴う巻線部分への放電の危険性を低くするには、沿面距離を長くして絶縁強度を高めることが必要となる。放電経路を遮るためにフランジ部１１ｂを巻線部分７ｐ１、７ｐ２と二次巻線７ｓとの間に設けることが好ましい。尚、本例では絶縁部材１１の両端にフランジ部１１ｂ、１１ｂをそれぞれ設けているが、これに限らず、一端部（高電圧パルスの発生に伴って放電が起き得る側の端部）だけにフランジ部を設けても良い。
【００５４】
次に、形態（Ａ２）について説明すると、図５、図６に示す交流変換用トランス７Ｂが、上記トランス７Ａと相違する点は下記の通りである。
【００５５】
・絶縁部材１１の円筒部１１ａの外周面に二次巻線７ｓが巻き付けられていること
・一次巻線７ｐの巻線部分７ｐ１が円筒状をなしており、これに接続されて外周に巻かれた巻線部分７ｐ２とともに、絶縁部材１１の円筒部１１ａの内部に配置されること
・巻線部分７ｐ１が、コア１２、１２の中足部分１２ａ、１２ａに巻き付けられること。
【００５６】
即ち、本例では絶縁部材１１の外側に二次巻線７ｓが配置され、絶縁部材１１の内側に一次巻線７ｐが配置された構成とされている。よって、二次巻線７ｓのコイル径が円筒部１１ａの外径より大きいことや、巻線部分７ｐ１、７ｐ２の巻径が円筒部１１ａの内径よりも小さいといった寸法やサイズの違いを除けば、各部の基本的な構成や機能はトランス７Ａの場合と同じであるため、図には該トランスの各部に付した符号と同じ符号を用いて示している。
【００５７】
図６は、交流用変換トランス７Ｂの断面構造を概略的に示したものである。
【００５８】
コア１２、１２の中足部分１２ａ、１２ａが互いに連結されて、その外側に一次巻線７ｐの巻線部分７ｐ１が巻かれ、その外側に巻線部分７ｐ２が巻かれている。そして、その外側に絶縁部材１１の円筒部１１ａが位置し、該円筒部１１ａの外周に二次巻線７ｓが巻かれた構造を備えている。
【００５９】
このように本例では、一次巻線７ｐの各部（７ｐ１、７ｐ２）がコア１２、１２の外周において巻回された構成とされている。
【００６０】
尚、本例においても、端子部１３、１４を含む巻線部分７ｐ１に銅箔が用いられており、その中心軸方向における長さが二次巻線７ｓのコイル長以上とされている。また、コア材としてニッケル系コアを用いることや、フランジ部１１ｂのもつ意味等については前記した通りである。
【００６１】
次に、上記（Ｂ）の構造について説明する。
【００６２】
図２に示すように、起動回路４の各出力端子を、一次巻線７ｐよりも巻数の少ない専用巻線７ａに接続して出力電圧を昇圧することができ、起動回路４の出力電圧が専用巻線７ａに印加され、専用巻線７ａ及び二次巻線７ｓの巻数比に従って昇圧された起動用信号が放電灯１０に印加されて放電灯が点灯する。
【００６３】
本形態では、専用巻線７ａに平角線や金属箔、薄い金属板等が使用され、上記（Ａ１）、（Ａ２）と同様の構成形態が挙げられる。つまり、図３乃至図６の構成との相違点は以下の通りである。
【００６４】
・巻線部分７ｐ１が専用巻線７ａに相当し、巻線部分７ｐ２が一次巻線７ｐに相当すること
・専用巻線７ａの端子部１３、１４が起動回路４の各出力端子に接続されること（専用巻線７ａと一次巻線７ｐを接続する必要はない。）。
【００６５】
このように、起動回路４の出力端子を一次巻線７ｐの途中に接続する必要がないので、配線処理が簡単になる。
【００６６】
尚、以上の説明では、Ｅ字ブロック状のコアを組み合わせた構成（ＥＥＲ）に本発明を適用した例を示したが、これに限らず各種トランスを用いた構成への適用が可能であることは勿論である。
【図面の簡単な説明】
【００６７】
【図１】本発明に係る回路構成例を示す図である。
【図２】起動回路の出力端子を専用巻線に接続した回路構成例を示す図である。
【図３】図４とともに交流変換用トランスの構成例を示すもので、本図は要部の分解斜視図である。
【図４】概略断面図である。
【図５】図６とともに交流変換用トランスの構成について別例を示すもので、本図は要部の分解斜視図である。
【図６】概略断面図である。
【符号の説明】
【００６８】
１、１Ａ…放電灯点灯装置、３…直流−交流変換回路、４…起動回路、７、７Ａ、７Ｂ…交流変換用トランス、７ｐ…一次巻線、７ｐ１…第一の巻線部分、７ｐ２…第二の巻線部分、７ｓ…二次巻線、７ａ…専用巻線、１１…絶縁部材、１１ｂ…フランジ部、１２…コア
【図１】
2005064260.tif 000003
【図２】
2005064260.tif 000004
【図３】
2005064260.tif 000005
【図４】
2005064260.tif 000006
【図５】
2005064260.tif 000007
【図６】
2005064260.tif 000008